(57)【要約】【課題】  薄型で光取り出し効率の高い光半導体装置を提供することを目的とする。【解決手段】  本発明の光半導体装置は、光半導体素子と、上面に光半導体素子が載置され、下面が光半導体装置の外表面を形成する第１の導電部材と、第１の導電部材から離間し、下面が光半導体装置の外表面を形成する第２の導電部材と、第１の導電部材と第２の導電部材の間に設けられる遮光性樹脂からなる基体と、光半導体素子を封止する透光性樹脂を有する封止部材と、とを有する光半導体装置であって、第１の導電部材及び／又は第２の導電部材は、光半導体装置の下面に設けられる下面部と、下面部から延在し前記封止部材の側面に配置される側面部とを有し、側面部は、接着部材によって封止部材に接合されていることを特徴とする。これにより放熱性に優れ、且つ、薄型で安定して実装できる光半導体装置とすることができる。【選択図】  図１Ｂ
2010232643.tif 000002
【特許請求の範囲】
【請求項１】
光半導体素子と、
上面に前記光半導体素子が載置され、下面が光半導体装置の外表面を形成する第１の導電部材と、
該第１の導電部材から離間し、下面が光半導体装置の外表面を形成する第２の導電部材と、
前記第１の導電部材と前記第２の導電部材の間に設けられる遮光性樹脂からなる基体と、
前記光半導体素子を封止する透光性樹脂を有する封止部材と、
とを有する光半導体装置であって、
前記第１の導電部材及び／又は第２の導電部材は、光半導体装置の下面に設けられる下面部と、該下面部から延在し前記封止部材の側面に配置される側面部とを有し、
該側面部は、接着部材によって前記封止部材に接合されていることを特徴とする光半導体装置。
【請求項２】
該側面部の先端部は、前記封止部材側に突起部を有する請求項１記載の光半導体装置。
【請求項３】
光半導体素子と、
上面に前記光半導体素子が載置され、下面が光半導体装置の外表面を形成する第１の導電部材と、
該第１の導電部材から離間し、下面が光半導体装置の外表面を形成する第２の導電部材と、
前記第１の導電部材と前記第２の導電部材の間に設けられる遮光性樹脂からなる基体と、
前記光半導体素子を封止する透光性樹脂を有する封止部材と、
とを有する光半導体装置であって、
前記基体は、前記第１の導電部材及び／又は前記第２の導電部材の上面より突出する突出部を有し、
前記第１の導電部材及び／又は第２の導電部材は、光半導体装置の下面に設けられる下面部と、該下面部から延在し前記遮光樹脂の突出部側面に配置される側面部とを有し、
該側面部は、接着部材によって前記突出部に接合されていることを特徴とする光半導体装置。
【請求項４】
該側面部の先端部は、前記突出部側に突起部を有する請求項３記載の光半導体装置。
【請求項５】
光半導体素子と、
上面に前記光半導体素子が載置され、下面が光半導体装置の外表面を形成する第１の導電部材と、
該第１の導電部材から離間し、下面が光半導体装置の外表面を形成する第２の導電部材と、
前記第１の導電部材と前記第２の導電部材の間に設けられる遮光性樹脂からなる基体と、
前記光半導体素子を封止する透光性樹脂を有する封止部材と、
とを有する光半導体装置であって、
前記第１の導電部材及び／又は第２の導電部材は、光半導体装置の下面に設けられる下面部と、該下面部から延在し前記封止部材の側面に配置される側面部とを有し、
該側面部の先端部は、前記封止部材側に突起部を有することを特徴とする光半導体装置。
【請求項６】
光半導体素子と、
上面に前記光半導体素子が載置され、下面が光半導体装置の外表面を形成する第１の導電部材と、
該第１の導電部材から離間し、下面が光半導体装置の外表面を形成する第２の導電部材と、
前記第１の導電部材と前記第２の導電部材の間に設けられる遮光性樹脂からなる基体と、
前記光半導体素子を封止する透光性樹脂を有する封止部材と、
とを有する光半導体装置であって、
前記基体は、前記第１の導電部材及び／又は前記第２の導電部材の上面より突出する突出部を有し、
前記第１の導電部材及び／又は第２の導電部材は、光半導体装置の下面に設けられる下面部と、該下面部から延在し前記基体の突出部側面に配置される側面部とを有し、
該側面部の先端部は、前記突出部側に突起部を有することを特徴とする光半導体装置。
【請求項７】
支持基板上に、互いに離間する第１および第２の導電部材を複数形成する第１の工程と、
前記第１及び第２の導電部材の間に、遮光性樹脂からなる基体を設ける第２の工程と、
前記第１及び／又は第２の導電部材上に光半導体素子を載置させる第３の工程と、
前記第１及び／又は第２の導電部材の一部が露出するよう、前記光半導体素子を透光性樹脂からなる封止部材で被覆する第４の工程と、
前記露出した第１及び／又は第２の導電部材上面に接着部材を設け、前記支持基板を除去後、接着部材が設けられた第１及び／又は第２の導電部材を屈曲させて前記封止部材に接着させて、光半導体装置を個片化する第５の工程と、
を有することを特徴とする光半導体装置の製造方法。
【請求項８】
支持基板上に、互いに離間する第１および第２の導電部材を複数形成する第１の工程と、
前記第１及び第２の導電部材の間を充填すると共に、光半導体素子の載置領域の周囲に突出部を有する遮光性樹脂からなる基体を、前記第１及び第２の導電部材の一部が露出するよう設ける第２の工程と、
前記第１及び／又は第２の導電部材上に光半導体素子を載置させる第３の工程と、
前記光半導体素子を透光性樹脂からなる封止部材で被覆する第４の工程と、
前記露出した第１及び／又は第２の導電部材上面に接着部材を設け、前記支持基板を除去後、接着部材が設けられた第１及び／又は第２の導電部材を屈曲させて前記突出部に接着させて、光半導体装置を個片化する第５の工程と、
を有することを特徴とする光半導体装置の製造方法。
【請求項９】
前記第５の工程は、支持基板を除去後に接着部材を設ける請求項８記載の光半導体装置の製造方法。
【請求項１０】
支持基板上に、互いに離間する第１および第２の導電部材を複数形成する第１の工程と、
前記第１及び第２の導電部材の間に、遮光性樹脂からなる基体を設ける第２の工程と、
前記第１及び／又は第２の導電部材上に光半導体素子を載置させる第３の工程と、
前記第１及び／又は第２の導電部材の一部が露出するよう、前記光半導体素子を透光性樹脂からなる封止部材で被覆する第４の工程と、
前記支持基板を除去後、封止部材から露出した第１及び／又は第２の導電部材を、封止部材側面に沿って屈曲させ、光半導体装置を個片化する第５の工程と、
を有することを特徴とする光半導体装置の製造方法。
【請求項１１】
支持基板上に、互いに離間する第１および第２の導電部材を複数形成する第１の工程と、
前記第１及び第２の導電部材の間を充填すると共に、光半導体素子の載置領域の周囲に突出部を有する遮光性樹脂からなる基体を、前記第１及び第２の導電部材の一部が露出するよう設ける第２の工程と、
前記第１及び／又は第２の導電部材上に光半導体素子を載置させる第３の工程と、
前記光半導体素子を透光性樹脂からなる封止部材で被覆する第４の工程と、
前記支持基板を除去後、基体の突出部から露出した第１及び／又は第２の導電部材を前記突出部の側面に沿って屈曲させ、光半導体装置を個片化する第５の工程と、
を有することを特徴とする光半導体装置の製造方法。
【請求項１２】
前記基体の線膨張係数は、５〜２５×１０−５／Ｋである請求項１乃至請求項１１記載のいずれか１項に記載の光半導体装置及びその製造方法。
【請求項１３】
前記基体は、熱硬化性樹脂を含む請求項１乃至請求項１２のいずれか１項に記載の光半導体装置及びその製造方法。
【請求項１４】
前記基体は、トリアジン誘導体エポキシ樹脂を含む熱硬化性樹脂組成物の硬化物を含む請求項１乃至請求項１３のいずれか１項に記載の光半導体装置及びその製造方法。
【請求項１５】
前記基体は、シリコーンレジンを含む熱硬化性樹脂組成物の硬化物を含む請求項１乃至請求項１４のいずれか１項に記載の光半導体装置及びその製造方法。
【請求項１６】
前記第１及び第２の導電部材は、鍍金である請求項１乃至請求項１５のいずれか１項に記載の光半導体装置及びその製造方法。
【請求項１７】
前記鍍金は、最下層と、最上層と、それらの間に中間層とを有する複数の鍍金層が積層された積層構造を有する請求項１６記載の光半導体装置及びその製造方法。
【請求項１８】
前記最下層はＡｕを含み、前記中間層はＮｉ又はＣｕを含む第１の中間層と、Ａｕを含む第２の中間層を含み、前記最上層はＡｇを含む請求項１７記載の光半導体装置及びその製造方法。
【発明の詳細な説明】
【技術分野】
【０００１】
本発明は、表示装置、照明器具、ディスプレイ、液晶ディスプレイのバックライト光源などに利用可能な光半導体装置や、ビデオカメラ、デジタルスチルカメラなどに利用可能なＣＣＤやフォトダイオードの受光装置等の光半導体装置及びその製造方法に関し、特に、薄型／小型タイプで実装精度が高く、歩留まり良く得られる光半導体装置及びその製造方法に関する。
【背景技術】
【０００２】
近年、電子機器の小型化・軽量化に伴い、それらに搭載される光半導体装置（発光ダイオード）、受光装置（ＣＣＤ）等の光半導体装置も小型化されたものが種々開発されている。これらの光半導体装置は、例えば、絶縁基板の両面にそれぞれ形成された一対の金属導体パターンが形成された両面スルーホールプリント基板上に発光素子や受光素子などの光半導体素子を載置し、ワイヤなどを用いて金属導体パターンと光半導体素子とを電気的に導通させるような構造を有している。
【０００３】
しかしながら、このような光半導体装置は、両面スルーホールプリント基板を使用することが必須条件であり、この両面スルーホールプリント基板が少なくとも０．１ｍｍ程度以上の厚みがあるため、表面実装型光半導体装置の徹底した薄型化を阻害する要因となっている。そのため、このようなプリント基板を使用しない構造の光半導体装置が開発されている（例えば特許文献１）。
【先行技術文献】
【特許文献】
【０００４】
【特許文献１】特開２００５−７９３２９号公報
【発明の概要】
【発明が解決しようとする課題】
【０００５】
しかしながら、特許文献１に開示されていうようなフレキシブル基板では、薄いフィルムを介して電極パターンが形成されているため、放熱性に問題がある。
【課題を解決するための手段】
【０００６】
以上の課題を解決するため、本発明の光半導体装置は、光半導体素子と、上面に光半導体素子が載置され、下面が光半導体装置の外表面を形成する第１の導電部材と、第１の導電部材から離間し、下面が光半導体装置の外表面を形成する第２の導電部材と、第１の導電部材と第２の導電部材の間に設けられる遮光性樹脂からなる基体と、光半導体素子を封止する透光性樹脂を有する封止部材と、とを有する光半導体装置であって、第１の導電部材及び／又は第２の導電部材は、光半導体装置の下面に設けられる下面部と、下面部から延在し封止部材の側面に配置される側面部とを有し、側面部は、接着部材によって封止部材に接合されていることを特徴とする。これによって、発光素子からの熱を効率よく放出することができる。
【０００７】
本発明の請求項２に記載の光半導体装置は、光半導体素子と、上面に光半導体素子が載置され、下面が光半導体装置の外表面を形成する第１の導電部材と、第１の導電部材から離間し、下面が光半導体装置の外表面を形成する第２の導電部材と、第１の導電部材と第２の導電部材の間に設けられる遮光性樹脂からなる基体と、光半導体素子を封止する透光性樹脂を有する封止部材と、とを有する光半導体装置であって、基体は、第１の導電部材及び／又は前記第２の導電部材の上面より突出する突出部有し、第１の導電部材及び／又は第２の導電部材は、光半導体装置の下面に設けられる下面部と、下面部から延在し遮光樹脂の突出部側面に配置される側面部とを有し、側面部は、接着部材によって突出部に接合されていることを特徴とする。これによって、光発光素子からの熱を効率よく放出することができる。
【０００８】
本発明の請求項５に記載の光半導体装置は、光半導体素子と、上面に光半導体素子が載置され、下面が光半導体装置の外表面を形成する第１の導電部材と、第１の導電部材から離間し、下面が光半導体装置の外表面を形成する第２の導電部材と、第１の導電部材と前記第２の導電部材の間に設けられる遮光性樹脂からなる基体と、光半導体素子を封止する透光性樹脂を有する封止部材と、を有する光半導体装置であって、第１の導電部材及び／又は第２の導電部材は、光半導体装置の下面に設けられる下面部と、下面部から延在し封止部材の側面に配置される側面部とを有し、側面部の先端部は、封止部材側に突起部を有することを特徴とする。これにより、発光素子からの熱を効率よく放出することができる。また、半田フィレットを形成し易くすることができる。
【０００９】
本発明の請求項６に記載の光半導体装置は、光半導体素子と、上面に光半導体素子が載置され、下面が光半導体装置の外表面を形成する第１の導電部材と、第１の導電部材から離間し、下面が光半導体装置の外表面を形成する第２の導電部材と、第１の導電部材と第２の導電部材の間に設けられる遮光性樹脂からなる基体と、光半導体素子を封止する透光性樹脂を有する封止部材と、を有する光半導体装置であって、基体は、第１の導電部材及び／又は第２の導電部材の上面より突出する突出部を有し、第１の導電部材及び／又は第２の導電部材は、光半導体装置の下面に設けられる下面部と、下面部から延在し遮光樹脂の突出部の側面に配置される側面部とを有し、側面部の先端部は、突出部側に突起部を有することを特徴とする。これにより、発光素子からの熱を効率よく放出することができる。また、半田フィレットを形成し易くすることができる。
【００１０】
本発明の請求項７に記載の光半導体装置の製造方法は、支持基板上に、互いに離間する第１および第２の導電部材を複数形成する第１の工程と、第１及び第２の導電部材の間に、遮光性樹脂からなる基体を設ける第２の工程と、第１及び／又は第２の導電部材上に光半導体素子を載置させる第３の工程と、第１及び／又は第２の導電部材の一部が露出するよう、光半導体素子を透光性樹脂からなる封止部材で被覆する第４の工程と、露出した第１及び／又は第２の導電部材上面に接着部材を設け、支持基板を除去後、接着部材が設けられた第１及び／又は第２の導電部材を屈曲させて封止部材に接着させて、光半導体装置を個片化する第５の工程と、を有することを特徴とする。
【発明の効果】
【００１１】
本発明により、放熱性に優れた薄型の光半導体装置を、歩留まり良く容易に形成させることができる。また、薄型の光半導体装置であっても、発光素子からの光が下面側から漏れ出すのを防ぐことができ、更に実装精度に優れた光半導体装置が得られる。
【図面の簡単な説明】
【００１２】
【図１Ａ】図１Ａは、本発明係る光半導体装置の全体及び内部を示す斜視図である。
【図１Ｂ】図１Ｂは、図１Ａに係る光半導体装置のＡ−Ａ’断面における断面図及び部分拡大図である。
【図１Ｃ】図１Ｃは、本発明に係る光半導体装置の製造方法を説明する工程図である。
【図１Ｄ】図１Ｄは、本発明に係る光半導体装置に製造方法を説明する工程図である。
【図２Ａ】図２Ａは、本発明に係る光半導体装置を示す斜視図である。
【図２Ｂ】図２Ｂは、図２Ａに係る光半導体装置を示す斜視図である。
【図２Ｃ】図２Ｃは、図２Ａに係る光半導体装置のＢ−Ｂ’断面における断面図である。
【図２Ｄ】図２Ｄは、本発明に係る光半導体装置の製造方法を説明する工程図である。
【図３】図３は、本発明に係る光半導体装置を示す断面図及び部分拡大図である。
【発明を実施するための形態】
【００１３】
本発明を実施するための最良の形態を、以下に図面を参照しながら説明する。ただし、以下に示す形態は、本発明の技術思想を具体化するための光半導体装置及びその製造方法を例示するものであって、以下に限定するものではない。
【００１４】
また、本明細書は、特許請求の範囲に示される部材を、実施の形態の部材に限定するものでは決してない。特に、実施の形態に記載されている構成部品の寸法、材質、形状、その相対的配置等は、限定的な記載がない限りは、本発明の範囲をそれのみに限定する趣旨ではなく、単なる説明例にすぎない。尚、各図面が示す部材の大きさや位置関係等は、説明を明確にするため誇張していることがある。さらに以下の説明において、同一の名称、符号については同一もしくは同質の部材を示しており、詳細説明を適宜省略する。
【００１５】
＜実施の形態１＞
本実施の形態の光半導体装置（発光装置）１００を、図１Ａ、図１Ｂに示す。図１Ａは光半導体装置１００の斜視図、図１Ｂは、図１Ａに示す光半導体装置１００のＡ−Ａ’断面における断面図を示す。
【００１６】
本実施の形態において、光半導体装置１００は、図１Ａ、図１Ｂに示すように、光半導体素子１０３と、光半導体素子１０３と電気的に接続される第２の導電部材１０２と、第２の導電部材１０１から離間し、発光素子１０３が載置される第１の導電部材１０１と、発光素子１０３を被覆するとともに第１の導電部材１０１及び第２の導電部材１０２と接する封止部材１０４と、を有している。第１の導電部材１０１と第２の導電部材１０２の間に、発光素子１０３からの光を遮光可能な樹脂からなる基体１０６を有している。そして、第１の導電部材は光半導体装置の下面に設けられる下面部１０２ａと、この下面部１０２ａから延在し封止部材１０４の側面に配置される側面部１０２ｂとを有し、側面部１０２ｂは、接着部材１０７によって封止部材１０４に接合されていることを特徴とする。
【００１７】
（基体）
本実施の形態において、基体１０６は、第１の導電部材１０１と第２の導電部材１０２の間に設けられる樹脂であり、遮光性を有する各種充填材等を添加することで発光素子１０３からの光を遮光可能な樹脂である。このような位置に遮光性の基体１０６を設けることで、発光素子１０３からの光が、光半導体装置１００の下面側から外部に漏れ出すのを抑制することができるため、上面方向への光の取り出し効率を向上させることができる。
【００１８】
基体１０６の厚さは、光半導体装置１００の下面側への光の漏れを抑制できる厚さであればよく、また、第１の導電部材１０１の側面と第２の導電部材の側面との両方に接するよう、すなわち、封止部材１０４が第１の導電部材１０１と基体１０６との間、第２の導電部材１０２と基体１０６との間に介在しないように設けるのが好ましい。
【００１９】
光半導体装置１００の幅と第１の導電部材１０１や第２の導電部材１０２の幅が異なる場合、例えば図１Ａに示すように第１の導電部材１０２の幅が狭く、その第１の導電部材の側面と光半導体装置１００の側面とが離間している場合は、その部分にも基体を設けることができる。このようにすることで、光半導体装置１００の下面は、第１の導電部材１０１、基体１０６、第２の導電部材１０２が外表面として形成されていることになり、下面方向への光の漏れを効率よく抑制することができる。
【００２０】
基体の材料としては、発光素子からの光が遮光可能なものであればよく、また、支持基板との線膨張係数の差が小さいものが好ましい。さらに、絶縁性部材を用いるのが好ましい。好ましい材料としては、熱硬化性樹脂、熱可塑性樹脂などの樹脂を用いることができ、特に、導電部材の膜厚が２５μｍ〜２００μｍ程度の極薄い厚みの場合は、熱硬化性樹脂が好ましく、これによって極めて薄型の基体を得ることができる。更に、具体的にはエポキシ樹脂組成物、シリコーン樹脂組成物、シリコーン変性エポキシ樹脂などの変性エポキシ樹脂組成物、エポキシ変性シリコーン樹脂などの変性シリコーン樹脂組成物、ポリイミド樹脂組成物、変性ポリイミド樹脂組成物などをあげることができる。
【００２１】
特に、熱硬化性樹脂が好ましく、特開２００６−１５６７０４に記載されている樹脂、例えば、熱硬化性樹脂のうち、エポキシ樹脂、変性エポキシ樹脂、シリコーン樹脂、変性シリコーン樹脂、アクリレート樹脂、ウレタン樹脂等が好ましく、具体的には、トリグリシジルイソシアヌレート、水素化ビスフェノールＡジグリシジルエーテルからなるエポキシ樹脂と、ヘキサヒドロ無水フタル酸、３−メチルヘキサヒドロ無水フタル酸、４−メチルヘキサヒドロ無水フタル酸からなる酸無水物とを、エポキシ樹脂へ当量となるよう溶解混合した無色透明な混合物を含む固形状エポキシ樹脂組成物を用いるのが好ましい。さらにこれら混合物１００重量部に対して、硬化促進剤としてＤＢＵ（１，８−Ｄｉａｚａｂｉｃｙｃｌｏ（５，４，０）ｕｎｄｅｃｅｎｅ−７）を０．５重量部、助触媒としてエチレングリコールを１重量部、酸化チタン顔料を１０重量部、ガラス繊維を５０重量部添加し、加熱により部分的に硬化反応させＢステージ化した固形状エポキシ樹脂組成物が好適に挙げられる。
【００２２】
また、国際公開番号ＷＯ２００７／０１５４２６号公報に記載の、トリアジン誘導体エポキシ樹脂を含むエポキシ樹脂を必須成分とする熱硬化性エポキシ樹脂組成物が好ましく、１，３，５−トリアジン核誘導体エポキシ樹脂であることが好ましい。特にイソシアヌレート環を有するエポキシ樹脂は、耐光性や電気絶縁性に優れており、一つのイソシアヌレート環に対して、２価の、より好ましくは３価のエポキシ基を有することが望ましい。具体的には、トリス（２，３−エポキシプロピル）イソシアヌレート、トリス（α−メチルグリシジル）イソシアヌレート等を用いることができる。トリアジン誘導体エポキシ樹脂の軟化点は９０〜１２５℃であることが好ましい。また、これらトリアジン誘導体エポキシ樹脂に、水素添加エポキシ樹脂や、その他のエポキシ樹脂を併用してもよい。更に、シリコーン樹脂組成物の場合、メチルシリコーンレジンを含むシリコーン樹脂が好ましい。
【００２３】
特に、トリアジン誘導体エポキシ樹脂を用いる場合について具体的に説明する。トリアジン誘導体エポキシ樹脂に、硬化剤として作用する酸無水物を用いるのが好ましく、特に、非芳香族であり、かつ、炭素炭素２重結合を有さないものを用いることで耐光性を向上させることができる。具体的には、ヘキサヒドロ無水フタル酸、メチルヘキサヒドロ無水フタル酸、トリアルキルテトラヒドロ無水フタル酸、水素化メチルナジック酸無水物などが上げられ、特にメチルヘキサヒドロ無水フタル酸が好ましい。また、酸化防止剤を用いるのが好ましく、例えば、フェノール系、硫黄系酸化防止剤を使用することができる。また、硬化触媒としては、エポキシ樹脂組成物の硬化触媒として公知のものが使用できる。
【００２４】
そして、これら樹脂中に遮光性を付与するための充填剤や、必要に応じて各種添加剤を混入させることができ、本発明ではこれらを含めて基体を構成する遮光性樹脂とする。例えば、充填材（フィラー）としてＴｉＯ２、ＳｉＯ２、Ａｌ２Ｏ３、ＭｇＯ、ＭｇＣＯ３、ＣａＣＯ３、Ｍｇ（ＯＨ）２、Ｃａ（ＯＨ）２などの微粒子などを混入させることで光の透過率を調整し、発光素子からの光の約６０％以上を遮光するよう、より好ましくは約９０％を遮光するようにするのが好ましい。尚、ここでは基体によって光を反射するか、又は吸収するかどちらでもよいが、光半導体装置を照明などの用途に用いる場合は、より好ましくは反射させることによって遮光するのが好ましい。そのため、発光素子からの光に対する反射率が６０％以上であるものが好ましく、より好ましくは９０％以上反射するものが好ましい。
【００２５】
例えば、白色の充填剤としてＴｉＯ２を用いる場合は、好ましくは１０〜３０ｗｔ％、より好ましくは１５〜２５ｗｔ％配合させるのがよい。ＴｉＯ２は、ルチル形、アナタース形のどちらを用いても良いが、遮光力や耐光性の点からルチル形が好ましい。更に、分散性、耐光性を向上させたい場合、表面処理により改質したものも使用できる。表面処理にはアルミナ、シリカ、酸化亜鉛等の水和酸化物、酸化物等を用いることが出来る。また、これらに加え、主として線膨張係数を調整するための充填剤としてＳｉＯ２を６０〜８０ｗｔ％の範囲で用いるのが好ましく、さらに、６５〜７５ｗｔ％用いるのが好ましい。また、ＳｉＯ２としては、結晶性シリカよりも線膨張係数の小さい非晶質シリカが好ましく、また、粒径が１００μｍ以下のもの、更には６０μｍ以下のものが好ましく、更に、形状は球形のものが好ましく、これにより基体成型時の充填性を向上させることができる。また、ディスプレイなどに用いる場合であって、コントラストを向上させたい場合は、発光素子からの光の吸収率が６０％以上、より好ましくは９０％以上吸収するものが好ましい。このような場合、充填材としては、アセチレンブラック、活性炭、黒鉛などのカーボンや、酸化鉄、二酸化マンガン、酸化コバルト、酸化モリブデンなどの遷移金属酸化物、もしくは有色有機顔料などを目的に応じて利用する事ができる。
【００２６】
上記のような各種充填材は、１種類のみ、或いは２種類以上を組み合わせて用いることができ、例えば、反射率を調整するための充填材と、後述のように線膨張係数を調整するための充填材とを併用するなどの用い方ができる。
【００２７】
また、基体の線膨張係数は、個片化する前に除去（剥離）される支持基板の線膨張係数との差が小さくなるように制御するのが好ましい。好ましくは３０％以下、より好ましくは１０％以下の差とするのがよい。支持基板としてＳＵＳ板を用いる場合、線膨張係数の差は２０ｐｐｍ以下が好ましく、１０ｐｐｍ以下がより好ましい。この場合、充填材を７０ｗｔ％以上、好ましくは８５ｗｔ％以上配合させるのが好ましい。これにより、支持基板と基体との残留応力を制御（緩和）することができるため、個片化する前の光半導体の集合体の反りを少なくすることができる。反りを少なくすることで、導電性ワイヤの切断など内部損傷を低減し、また、個片化する際の位置ズレを抑制して歩留まりよく製造することができる。例えば、基体の線膨張係数を５〜２５×１０−６／Ｋに調整することが好ましく、さらに、７〜１５×１０−６／Ｋ程度の範囲のものがより好ましく、これにより、基体成型後、冷却時に生じる反りを抑制し易くすることができ、歩留まりよく製造することができる。尚、本明細書において線膨張係数は、各種充填剤等で調整された遮光性樹脂からなる基体のガラス転移温度以下での線膨張係数を指し、この温度領域における線膨張係数が、支持基板の線膨張係数と近いものが好ましい。
【００２８】
また、別の観点から、基体の線膨張係数は、第１及び第２の導電部材の線膨張係数との差が小さくなるように制御するのが好ましい。好ましくは４０％以下、より好ましくは２０％以下の差とするのがよい。これにより、個片化後の光半導体装置において、第１及び第２の導電部材と基体とが剥離するのを抑制し、信頼性に優れた光半導体装置とすることができる。
【００２９】
（第１の導電部材／第２の導電部材）
第１及び第２の導電部材は、光半導体素子への通電させるための一対の電極として機能させるものである。本形態では、第２の導電部材は、光半導体素子（発光素子）と導電性ワイヤを介して電気的に接続されるものであり、外部から電力を供給させるための電極として機能させるものである。また、第１の導電部材は、発光素子がその上に載置されるものであり、その支持体として機能する。第１の導電部材は、単に発光素子が載置されるのみで通電に寄与しない場合と、発光素子や保護素子への通電に寄与する場合、すなわち、電極として機能する場合と、いずれの形態をとることもできるが、実施の形態１では、第１の導電部材を導通には寄与しない支持体として用いる場合について説明している。
【００３０】
本形態において、第１の導電部材、第２の導電部材とも、光半導体装置（発光装置）の下面において外表面を形成するよう、すなわち、封止部材等で被覆されず外部（下面）に露出されるように設けられている下面部を有している。更に、この下面部から延在し封止部材の側面に配置される側面部をそれぞれ有しており、側面部は接着部材によって封止部材に接合されている。
【００３１】
第１の導電部材、第２の導電部材とも下面部や側面部の形状、大きさ等については、光半導体装置の大きさや載置する発光素子等の数や大きさ等に応じて任意に選択することができる。また、膜厚については、第１の導電部材と第２の導電部材は略等しい膜厚とするのが好ましく、具体的には２５μｍ以上２００μｍ以下が好ましく、更に５０μｍ以上１００μｍ以下がより好ましい。このような厚みを有する導電部材は、鍍金方法によって形成される鍍金（鍍金層）であることが好ましく、特に、積層された鍍金（層）であることが好ましい。
【００３２】
（第１の導電部材）
本形態において第１の導電部材１０１は、図１Ａ、図１Ｂに示すように、発光素子１０３が載置される上面と、光半導体装置１００の外表面を形成する下面とを有している。また、第１の導電部材１０１の側面は、本形態においては、第１の導電部材は電極として機能させていないため、その側面が全て封止部材で被覆されるように、すなわち、光半導体装置１００の側面から離間するように設けることができる。これにより、切断によって個片化した光半導体装置を得る際に、切断刃が第２の導電部材と接触しないように切断できるため、切断が容易となる。また、第１の導電部材は、その一部が光半導体装置１００の外表面を形成するよう、すなわち、光半導体装置１００の側面に達するように設けてもよい（図示せず）。第１の導電部材は発光素子が搭載されているため、面積を大きくすることで放熱性を向上させることができる。
【００３３】
第１の導電部材１０１の上面は、発光素子１０３が載置可能な面積以上の面積を有していればよく、図１Ａに示すような上面視略四角形の他、多角形、波形、或いは切り欠きを有する形状など、種々の形状とすることができる。また、発光素子１０３を載置させる領域は、平坦な面とするのが好ましく、また、発光素子に加え、保護素子などを載置することもできる。
【００３４】
第１の導電部材１０１の側面は、平坦な面でもよいが基体１０６との密着性等を考慮すると、図１Ｂに示すような突起部Ｘを有するようにするのが好ましい。この突起部Ｘは、第１の導電部材１０１の下面から離間した位置に設けるのが好ましく、これにより第１の導電部材１０１が基体１０６から脱落するなどの問題が生じにくくなる。突起部Ｘは、第１の導電部材１０１の周囲の任意の位置に設けることができ、例えば、上面視四角形の導電部材の対向する２つの側面にのみ設けるなど、部分的に設けることができる。また、より確実に脱落を防ぐためには、第２の導電部材の周囲全体に渡って形成するのが好ましい。
【００３５】
（第２の導電部材）
本形態において第２の導電部材１０２は、図１Ａに示すように、上面視略四角形の光半導体装置１００の対向する２つの辺側に各１つずつ設けられており、基体１０６を介して第１の導電部材１０１を間に挟むように設けられている。ここでは第１の導電部材１０１は通電に寄与せず発光素子１０３の支持体として用いられているため、２つの第２の導電部材１０２で正負一対の電極となるように機能させる。
【００３６】
第２の導電部材１０２は、光半導体装置の下面に設けられる下面部１０２ａと、下面部１０２ａから延在し封止部材１０４の側面に配置される側面部１０２ｂとを有している。下面部１０２ａは発光素子１０３と導電性ワイヤ１０５を介して電気的に接続される上面と、光半導体装置１００の外表面を形成する下面を有するよう、すなわち、基体１０６で被覆されずに外部に露出しているように設けられている。
【００３７】
第２の導電部材１０２の下面部の上面は、発光素子１０３と電気的に接続させるための導電ワイヤ１０５が接合される部分であり、接合に必要な面積を少なくとも有していればよい。また、第２の導電部材１０２の下面部の上面は図１Ｂなどに示すように平坦な平面としてもよく、或いは、微細な凹凸や、溝、孔などを有していてもよい。また、導電性ワイヤを用いず、発光素子の電極と第１の導電部材とを直接電気的に接続させる場合は、発光素子の電極が接合可能な領域を有する大きさとなるように第１の導電部材を設ける。
【００３８】
第２の導電部材１０２の下面部の下面は、光半導体装置の外表面を形成しており、実質的に平坦な面とするのが好ましく、また、微細な凹凸等が形成されていても構わない。
【００３９】
また、第２の導電部材１０２の下面部は、その側面は平坦な面でもよいが基体１０６との密着性等を考慮すると、図１Ｂの部分拡大図に示すような突起部Ｘを有するようにするのが好ましい。この突起部Ｘは、第２の導電部材１０２の下面から離間した位置に設けるのが好ましく、これにより第２の導電部材１０２が基体１０６から脱落するなどの問題が生じにくくなる。また、突起部ではなく、下面側に側面が傾斜するように第１の導電部材や第２の導電部材の側面を傾斜させることで、それらが脱落を抑制することができる。
【００４０】
突出部Ｘは、第２の導電部材１０２の下面部の周囲のうち、光半導体装置１００の外表面と異なる位置であれば任意の位置に設けることができ、例えば、上面視四角形の導電部材の対向する２つの側面にのみ設けるなど、部分的に設けることができる。また、より確実に脱落を防ぐためには、外表面を形成する面意外の導電部材の周囲全体に渡って形成するのが好ましい。
【００４１】
第２の導電部材の側面部１０２ｂは、本実施の形態では封止部材１０４の側面に接着部材を介して接合されている。この側面部１０２ｂに半田フィレットが形成されることで、光半導体装置１００を回路基板に安定して固定することができる。図１Ａなどに設けられている一対の側面部は、その幅や高さなどを同一とすることで、バランスよく実装することができる。また、図１Ｂに示すように、側面部１０２ｂの側面にも突起Ｘが設けられており、これによって実装時に用いる半田やフラックスが這い上がって接着剤１０７や封止部材１０４にまで達するのを抑制することができる。
【００４２】
第１の導電部材、第２の導電部材は、同じ材料を用いるのが好ましく、これにより工程を少なくすることができる。ただし、異なる材料を用いても構わない。具体的な材料としては、銅、アルミニウム、金、銀、タングステン、鉄、ニッケル、コバルト等の金属又は鉄−ニッケル合金、りん青銅、鉄入り銅、モリブデン、Ａｕ−Ｓｎなどの共晶はんだ、ＳｎＡｇＣｕ、ＳｎＡｇＣｕＩｎなどの半田、ＩＴＯ等が挙げられる。これらはんだ材料の中でも特に組成をコントロールして、はんだ粒子と第一の金属部の反応により一旦溶融し凝固すると、リフロー実装時などの追加の熱処理時に再溶解しない組成に調整したものが好ましい。
【００４３】
これらは単体又は合金として用いることができ、更には積層（鍍金）するなど複数層設けることもできる。例えば、半導体素子として発光素子を用いる場合、最表面には、発光素子からの光を反射可能な材料が好ましく、具体的には金、銀、銅、Ｐｔ、Ｐｄ、Ａｌ、Ｗ、Ｍｏ等が好ましい。更に最表面の導電部材は高反射率、高光沢である事が好ましい。具体的には可視域の反射率は７０％以上である事が好ましく、その際はＡｇ、Ｒｕ、Ｒｈ、Ｐｔ、Ｐｄなどが好的に用いられる。また、導電部材の表面光沢も高いほうが好ましい。具体的に光沢度は好ましくは０．５以上、より好ましくは１．０以上である。ここで示される光沢度は日本電色工業製  微小面色差計ＶＳＲ  ３００Ａを用い、４５°照射、測定領域がΦ０．２ｍｍ、垂直受光で得られる数字である。また、支持基板側は回路基板等への実装に有利なＡｕ、Ｓｎ、Ｓｎ合金、ＡｕＳｎなどの共晶はんだ鍍金等が好ましい。
【００４４】
また、最表面（最上層）と支持基板側（最下層）との間に、中間層として、導電部材や発光装置の機械的強度を向上させるために耐食性の高い金属、例えばＮｉを用いるのが好ましく、また、放熱性を向上させるためには、熱伝導率の高い銅を用いるなど、目的や用途に応じて、適した部材を用いるのが好ましい。この中間層についても、上記の金属の他、Ｐｔ、Ｐｄ、Ａｌ、Ｗ、Ｒｕ、Ｐｄなどを用いることができ、最上層や最下層の金属と密着性のよい金属を積層させてもよい。中間層の膜厚については、最上層や最下層よりも厚く形成するのが好ましい。特に、導電部材の全体の膜厚の８０％〜９９％の範囲の比率で形成するのが好ましく、更に好ましくは９０％〜９９％の範囲とするのが好ましい。←請求項に合わせる。
【００４５】
特に、金属からなる鍍金層の場合、その組成によって線膨張係数が規定されるため、最下層や中間層は、比較的支持基板との線膨張係数が近いものが好ましい。例えば、支持基板として、線膨張係数が１０．４×１０−６／ＫであるＳＵＳ４３０を用い、その上に導電部材として、次に挙げるような金属を含む（主成分とする）積層構造とすることができる。最下層側から、線膨張係数１４．２×１０−６／ＫであるＡｕ（０．０４〜０．１μｍ）、第１の中間層として線膨張係数１２．８×１０−６／ＫであるＮｉ（又は線膨張係数１６．８×１０−６／ＫであるＣｕ）（２５〜１００μｍ）、第２の中間層としてＡｕ（０．０１〜０．０７μｍ）、最上層として線膨張係数１１９．７×１０−６／ＫであるＡｇ（２〜６μｍ）等の積層構造が好ましい。最上層のＡｇは線膨張係数が他の層の金属と大きく異なるが、発光素子からの光の反射率を優先しているためであり、極めて薄い厚みとしているため反りに対する影響は極めて微弱であり、実用的に問題はない程度である。
【００４６】
（封止部材）
封止部材は、発光素子を被覆すると共に、第１の導電部材及び第２の導電部材と接するように設けられるものであり、発光素子、受光素子、保護素子、更には導電性ワイヤなどの電子部品を、塵芥や水分、更には外力などから保護する部材である。
【００４７】
封止部材の材料としては、発光素子からの光を透過可能な透光性を有し、且つ、それらによって劣化しにくい耐光性を有するものが好ましい。具体的な材料としては、シリコーン樹脂組成物、変性シリコーン樹脂組成物、エポキシ樹脂組成物、変性エポキシ樹脂組成物、アクリル樹脂組成物等発光素子からの光を透過可能な透光性を有する絶縁樹脂組成物を挙げることができる。更に、シリコーン樹脂、エポキシ樹脂、ユリア樹脂、フッ素樹脂及びこれらの樹脂を少なくとも１種以上含むハイブリッド樹脂等も用いることができる。さらにまた、これらの有機物に限られず、ガラス、シリカゾル等の無機物も用いることができる。このような材料に加え、所望に応じて着色剤、光拡散剤、光反射材、各種フィラー、波長変換部材（蛍光部材）などを含有させることもできる。封止部材の充填量は、上記電子部品が被覆される量であればよい。
【００４８】
封止樹部材の外表面の形状については配光特性などに応じて種々選択することができる。例えば、上面を凸状レンズ形状、凹状レンズ形状、フレネルレンズ形状などとすることで、指向特性を調整することができる。また、封止部材に加え別に、レンズ部材を設けてもよい。
【００４９】
尚、主として発光装置について上述のように説明したが、受光装置についてもほぼ上記と同様であり、用いる封止部材として、光の入射効率を高めるたり、受光装置内部での２次反射を避ける目的で白色もしくは黒色などの有色フィラーを用いても良い。特に赤外線発光装置や赤外線検知装置には可視光の影響を避けるために黒色の有色フィラー含有の封止部材を用いるのが好ましい。
【００５０】
（接着部材）
接着部材は、第１の導電部材や第２の導電部材を、封止部材や基体に接着させるために用いる部材であり、導電性接着部材又は絶縁性接着部材のいずれかを選択することができる。絶縁性接着部材としては、エポキシ樹脂組成物、シリコーン樹脂組成物、ポリイミド樹脂組成物やその変性樹脂、ハイブリッド樹脂等を用いることができる。また、導電性接着部材としては、銀、金、パラジウムなどの導電性ペーストや、Ａｕ−Ｓｎ共晶などのはんだ、低融点金属等のろう材を用いることができる。さらに、これら接着部材のうち、特に透光性の接着部材を用いる場合は、その中に半導体発光素子からの光を吸収して異なる波長の光を発光する蛍光部材を含有させることもできる。
【００５１】
（ダイボンド部材）
ダイボンド部材は、第１の導電部材や第２の導電部材上に、発光素子、受光素子、保護素子などを載置し接続させるためのダイボンド部材であり、載置する素子の基板によって導電性ダイボンド部材又は絶縁性ダイボンド部材のいずれかを選択することができる。例えば、絶縁性基板であるサファイア上に窒化物半導体層を積層させた半導体発光素子の場合、ダイボンド部材は絶縁性でも導電性でも用いることができ、ＳｉＣ基板などの導電性基板を用いる場合は、導電性ダイボンド部材を用いることで導通を図ることができる。絶縁性ダイボンド部材としては、エポキシ樹脂組成物、シリコーン樹脂組成物、ポリイミド樹脂組成物やその変性樹脂、ハイブリッド樹脂等を用いることができる。これらの樹脂を用いる場合は、半導体発光素子からの光や熱による劣化を考慮して、発光素子裏面にＡｌやＡｇ膜などの反射率の高い金属層や誘電体反射膜を設けることができる。この場合、蒸着やスパッタあるいは薄膜を接合させるなどの方法を用いることができる。また、導電性ダイボンド部材としては、銀、金、パラジウムなどの導電性ペーストや、Ａｕ−Ｓｎ共晶などのはんだ、低融点金属等のろう材を用いることができる。さらに、これらダイボンド部材のうち、特に透光性のダイボンド部材を用いる場合は、その中に半導体発光素子からの光を吸収して異なる波長の光を発光する蛍光部材を含有させることもできる。
【００５２】
（導電性ワイヤ）
発光素子の電極と、第１の導電部材、第２の導電部材とを接続する導電性ワイヤは、金、銅、白金、アルミニウム等の金属及びそれらの合金を用いた導電性ワイヤが挙げられる。特に、熱抵抗などに優れた金を用いるのが好ましい。
【００５３】
（波長変換部材）
上記封止部材中に、波長変換部材として半導体発光素子からの光の少なくとも一部を吸収して異なる波長を有する光を発する蛍光部材を含有させることもできる。
【００５４】
蛍光部材としては、半導体発光素子からの光を、それより長波長に変換させるものの方が効率がよい。しかしながら、これに限らず、半導体発光素子からの光を、短波長に変換させるもの、或いは、他の蛍光部材によって変換された光を更に変換させるものなど、種々の蛍光部材を用いることができる。このような蛍光部材は、１種の蛍光物質等を単層で形成してもよいし、２種以上の蛍光物質等が混合された単層を形成してもよいし、１種の蛍光物質等を含有する単層を２層以上積層させてもよいし、２種以上の蛍光物質等がそれぞれ混合された単層を２層以上積層させてもよい。
【００５５】
蛍光部材としては、例えば、発光素子として窒化物系半導体を発光層とする半導体発光素子を用いる場合、その発光素子からの光を吸収し異なる波長の光に波長変換するものであればよい。例えば、Ｅｕ、Ｃｅ等のランタノイド系元素で主に賦活される窒化物系蛍光体・酸窒化物系蛍光体、より具体的には、Ｅｕ賦活されたα若しくはβサイアロン型蛍光体、各種アルカリ土類金属窒化シリケート蛍光体、Ｅｕ等のランタノイド系の元素、Ｍｎ等の遷移金属系の元素により主に賦活されるアルカリ土類金属ハロゲンアパタイト蛍光体、アルカリ土類のハロシリケート蛍光体、アルカリ土類金属シリケート蛍光体、アルカリ土類金属ホウ酸ハロゲン蛍光体、アルカリ土類金属アルミン酸塩蛍光体、アルカリ土類金属ケイ酸塩、アルカリ土類金属硫化物、アルカリ土類金属チオガレート、アルカリ土類金属窒化ケイ素、ゲルマン酸塩、または、Ｃｅ等のランタノイド系元素で主に賦活される希土類アルミン酸塩、希土類ケイ酸塩またはＥｕ等のランタノイド系元素で主に賦活される無機及び有機錯体等から選ばれる少なくともいずれか１以上であることが好ましい。好ましくは、Ｃｅ等のランタノイド系元素で主に賦活される希土類アルミン酸塩蛍光体である、Ｙ３Ａｌ５Ｏ１２：Ｃｅ、（Ｙ０．８Ｇｄ０．２）３Ａｌ５Ｏ１２：Ｃｅ、Ｙ３（Ａｌ０．８Ｇａ０．２）５Ｏ１２：Ｃｅ、（Ｙ，Ｇｄ）３（Ａｌ，Ｇａ）５Ｏ１２の組成式で表されるＹＡＧ系蛍光体である。また、Ｙの一部もしくは全部をＴｂ、Ｌｕ等で置換したＴｂ３Ａｌ５Ｏ１２：Ｃｅ、Ｌｕ３Ａｌ５Ｏ１２：Ｃｅなどもある。さらに、上記蛍光体以外の蛍光体であって、同様の性能、作用、効果を有する蛍光体も使用することができる。
【００５６】
（光半導体素子）
本発明においては、光半導体素子として、同一面側に正負電極が形成された構造、或いは異なる面に正負電極が形成された構造、成長基板とは異なる基板を貼り合わせた構造等、種々の構造の光半導体素子を用いることができ、それらの構造を有する半導体発光素子（単に発光素子、又は発光ダイオードともいう）や半導体受光素子（単に受光素子）を用いるのが好ましい。
【００５７】
半導体発光素子は、任意の波長のものを選択することができる。例えば、青色、緑色の発光素子としては、ＺｎＳｅや窒化物系半導体（ＩｎＸＡｌＹＧａ１−Ｘ−ＹＮ、０≦Ｘ、０≦Ｙ、Ｘ＋Ｙ≦１）、ＧａＰを用いたものを用いることができる。また、赤色の発光素子としては、ＧａＡｌＡｓ、ＡｌＩｎＧａＰなどを用いることができる。さらに、これ以外の材料からなる半導体発光素子を用いることもできる。用いる発光素子の組成や発光色、大きさや、個数などは目的に応じて適宜選択することができる。
【００５８】
蛍光物質を有する光半導体装置とする場合には、その蛍光物質を効率良く励起できる短波長が発光可能な窒化物半導体（ＩｎＸＡｌＹＧａ１−Ｘ−ＹＮ、０≦Ｘ、０≦Ｙ、Ｘ＋Ｙ≦１）が好適に挙げられる。半導体層の材料やその混晶度によって発光波長を種々選択することができる。
【００５９】
また、可視光領域の光だけでなく、紫外線や赤外線を出力する発光素子とすることができる。さらには、発光素子とともにもしくは単独で、受光素子などを搭載することができる。
【００６０】
受光素子としては、フォトＩＣ、フォトダイオード、フォトトランジスタ、ＣＣＤ（電荷結合素子）イメージセンサー、ＣＭＯＳイメージセンサー、Ｃｄセルなどを挙げることができる。
【００６１】
（支持基板）
支持基板は、第１及び第２の導電部材を形成するために用いる板状又はシート状部材であり、個片化する前に除去するため、光半導体装置には具備されていない部材である。
【００６２】
支持基板としては、ＳＵＳ板などの導電性を有する金属板の他、ポリイミドなど絶縁性板にスパッタ法や蒸着法によって導電膜を形成したものを用いることができる。或いは、金属薄膜などを貼り付け可能な絶縁性の板状部材を用いることもできる。いずれにしても、工程の最終段階において除去する、すなわち、第１及び第２の導電部材や基体から剥がすため、折り曲げ可能な部材を用いる必要があり、材料にもよるが膜厚１０μｍ〜３００μｍ程度の板状部材を用いるのが好ましい。具体的な材料としては、上記のＳＵＳ板の他、鉄、銅、コバール、ニッケルなどの金属板や、金属薄膜などを貼り付け可能なポリイミドからなる樹脂シートなどが好ましい。特に、マルテンサイト系、フェライト系、オーステナイト系等、種々のステンレスを用いることが好ましく、フェライト系のステンレスであり、特に好ましくは、４００系、３００系のものであり、更に、ＳＵＳ４３０（１０．４×１０−６／Ｋ）、ＳＵＳ４４４（１０．６×１０−６／Ｋ）、ＳＵＳ３０３（１８．７×１０−６／Ｋ）、ＳＵＳ３０４（１７．３×１０−６／Ｋ）等が好適に用いられる。４００系のステンレスは、鍍金の前処理として酸処理を行うと、３００系に比し、表面が荒れやすくなるため、その上に鍍金層を形成するとその表面も荒れやすくなり、これにより封止部材や基体を構成する樹脂との密着性を良くすることができる。また、３００系は酸処理では表面が荒れにくいため、鍍金層の表面の光沢度を向上させやすく、これにより発光素子からの反射率を向上して光取り出し効率の高い発光装置とすることができる。
【００６３】
＜製造方法１−１＞
以下、本発明の光半導体装置の製造方法について、図面を用いて説明する。図１Ｃ、図１Ｄは、光半導体装置の集合体１０００を形成する工程を説明する断面図であり、この集合体１０００を切断して個片化することで、実施の形態１において説明した光半導体装置１００を得ることができる。
【００６４】
１．第１の工程
まず、図１Ｃ（ａ）に示すように、金属板などからなる支持基板１１００を用意する。
この支持基板の表面に保護膜としてレジスト１０８０を塗布する。このレジスト１０８０の厚みによって後に形成される第１の導電部材や第２の導電部材の厚みを調整することができる。尚、ここでは、支持基板１１００の上面（第１の導電部材等を形成する側の面）にのみレジスト１０８０を設けているが、更に、下面（反対側の面）に形成してもよい。その場合、反対側の面のほぼ全面にレジストを設けることで、後述の鍍金によって下面に導電部材が形成されるのを防ぐことができる。
【００６５】
尚、用いる保護膜（レジスト）はフォトリソグラフィによって形成されるレジストの場合、ポジ型、ネガ型のいずれを用いてもよい。ここでは、ポジ型のレジストを用いる方法について説明するが、ポジ型、ネガ型を組み合わせて用いてもよい。また、スクリーン印刷により形成させるレジストや、シート状のレジストを貼り付けるなどの方法も用いることができる。
【００６６】
塗布したレジストを乾燥させた後、その上部に開口部を有するマスク１０９０を直接又は間接的に配置させて、図中の矢印のように紫外線を照射して露光する。ここで用いる紫外線は、レジスト１０７０の感度等によって適した波長を選択することができる。その後、エッチング剤で処理することで図１Ｃ（ｂ）に示すように開口部Ｋを有するレジスト１０８０が形成される。ここで、必要であれば酸活性処理などを行ってもよい。
【００６７】
次いで、金属を用いて鍍金することで、図１Ｃ（ｃ）に示すようにレジスト１０８０の開口部Ｋ内に第１の導電部材１０１０と第２の導電部材１０２０とを形成させる。このとき、鍍金条件を調整することでレジスト１０８０の膜厚よりも厚くなるように鍍金することができ、これにより導電部材を保護膜の上面にまで形成させ、図１Ａに示すような突起部Ｘを形成させることができる。鍍金方法としては、用いる金属によって、又は目的の膜厚や平坦度に応じて当該分野で公知の方法によって適宜選択することができ、電解鍍金、無電解鍍金等を用いることができる。特に、電解鍍金を用いるのが好ましく、これによりレジスト（保護膜）を除去し易く、導電部材を均一な形状で形成し易くなる。また、最表層（例えばＡｇ）との密着性を向上させるため、その下の層にストライク鍍金によって中間層（例えばＡｕ、Ａｇ、Ｃｕ、Ｐｄ）を形成させるのが好ましい。
【００６８】
鍍金後、保護膜１０８０を洗浄して除去することで、図１Ｃ（ｄ）に示すように互いに離間する第１の導電部材１０１０及び第２の導電部材１０２０が形成される。尚この突出部Ｘは、上記のような鍍金のほか、つぶし加工、金属ペースト印刷後の焼き付け工法などでも形成することができる。
【００６９】
２．第２の工程
次いで、図１Ｄ（ａ）に示すように、第１の導電部材１０１０と第２の導電部材１０２０との間に、発光素子からの光を反射可能な基体１０６０を設ける。基体は、射出成形、トランスファモールド、圧縮成型等の方法によって形成することができる。
【００７０】
例えばトランスファモールドにより基体１０６０を形成する場合、第１及び第２の導電部材を複数形成した支持基板を、上型及び下型からなる金型の内に挟み込むようにセットする。このとき、離型シートなどを介して金型内にセットしてもよい。金型を内には基体の原料である樹脂ペレットが挿入されており、支持基板と樹脂ペレットとを加熱する。樹脂ペレット溶融後、加圧して金型内に充填する。加熱温度や加熱時間、また圧力等については用いる樹脂の組成等に応じて適宜調整することができる。硬化後金型から取り出し、図１Ｄ（ａ）に示す成型品を得ることができる。
【００７１】
尚、図１（ａ）では、後で屈曲されて側面部となる第２の導電部材は、切断しなくてもいいように、遮光樹脂を充填しない領域Ｌを設けている。このようにすることで、第２の導電部材１０２０の側面に突起Ｘを設けることができる。また、領域Ｌを設けないようにして、第２の導電部材を連続して設けておくこともでき、その場合は、側面部を屈曲させる前に所望の位置で切断する。
【００７２】
３．第３の工程
次いで、図１Ｄ（ｂ）に示すように、第１の導電部材１０１０上に発光素子１０３０をダイボンド部材（図示せず）を用いて接合し、導電性ワイヤ１０５０を用いて第１の導電部材１０１０に接続する。尚、ここでは、同一面側に正負電極を有する発光素子を用いているが、正負電極が異なる面に形成されている発光素子を用いることもできる。
【００７３】
４．第４の工程
その後、図１Ｄ（ｂ）に示すように、発光素子１０３０、導電性ワイヤ１０５０を被覆するように封止部材１０４０をトランスファモールド、ポッティング、印刷等の方法によって形成する。尚、ここでは封止部材は１層構造としているが、組成や特性が異なる２層以上の多層構造としてもよい。また、後工程で屈曲させて側面部となる第２の導電部材上には、封止部材１０４０が形成されないようにしておく。封止部材１０４０を硬化後に、図１Ｄ（ｃ）に示すように支持基板１０７０を剥がし、除去する。
【００７４】
５．第５の工程
その後、図１Ｄ（ｄ）に示すように、第２の導電部材上にノズル１１１０から接着部材１０７０を滴下する。接着部材の形成方法としては、滴下の他、印刷などでも行うことができる。次いで、図１Ｄ（e）に示すように、下方から力を加えて第２の導電部材を屈曲させて封止部材１０４０の側面に貼り付けることで、例えば図１Ａに示すような、光半導体装置１００を得ることができる。個片化の方法としては、ブレードによるダイシング、レーザ光によるダイシング等種々の方法を用いることができる。
【００７５】
尚、接着部材を設ける工程は、図１Ｄ（ｂ）の段階、すなわち、支持基板１１１０を剥がす前に行ってもよい。
【００７６】
＜実施の形態２＞
実施の形態２にかかる光半導体装置（発光装置）２００を、図２Ａ、図２Ｂ、図２Ｃに示す。図２Ａ及び図２Ｂは、本発明に係る光半導体装置２００を示す斜視図であり、図２Ｃは、図２Ａに係る光半導体装置２００のＢ−Ｂ’断面における断面図である。
【００７７】
実施の形態２では、光半導体装置２００は、発光素子２０３と、発光素子２０３と電気的に接続される第２の導電部材２０２と、第２の導電部材２０２から離間し、発光素子２０３が載置される第１の導電部材２０１と、発光素子２０３を被覆するとともに第１の導電部材２０１及び第２の導電部材２０２と接する封止部材２０４と、を有している。第１の導電部材２０１及び第２の導電部材２０２は、それぞれ下面が光半導体装置２００の外表面を形成しており、さらに、第１の導電部材２０１と第２の導電部材２０２の側面の一部も光半導体装置２００の外表面を形成している。そして、第１の導電部材２０１と第２の導電部材２０２の間に、発光素子２０３からの光を遮光可能な樹脂からなる基体２０６ａを有し、更に、その基体２０６は、発光素子２０３から離間する位置において、第１の導電部材２０１及び第２の導電部材２０２の上面よりも高い突出部２０６ｂを有している。これにより、光半導体装置２００に突出部２０６ｂによって凹部Ｓ１が形成され、光半導体装置２００の側面側に光が放出されるのを抑制し、上面方向に向けて光を放出することができる。そして、第１の導電部材２０１及び第２の導電部材２０２は、それぞれ下面部２０１ａ、２０２ａと、その下面部から延在する側面部２０１ｂ、２０２ｂとを有しており、基体２０６の突出部２０６ｂに接着部材２０７を介して接合されていることを特徴とする。これにより、回路基板等に光半導体装置２００を実装する際に、半田フィレットが形成し易くなる。また、回路基板の平面と水平な方向に発光するように実装して、側面発光型の光半導体装置とすることができる。
【００７８】
図２Ｂに示すように、突出部２０６ｂは、上面に向かって広がるような凹部Ｓ１となるように、内面を傾斜のある面とするようにすることで、光を光半導体装置の上面方向へ反射し易くすることができる。尚、実施の形態２において用いる部材等については、実施の形態１と同様のものを用いることができる。
【００７９】
＜製造方法２＞
以下、本発明の光半導体装置２００の製造方法について、図面を用いて説明する。図２Ｄは、光半導体装置の集合体２０００を形成する工程を説明する上面図であり、この集合体２０００を切断することで、実施の形態２において説明した光半導体装置２００を得ることができる。
【００８０】
１．第１の工程
製造方法２では、第１及び第２の導電部材を形成するための第１の工程については、製造方法１と同様に行うことができる。ここでは、第１の導電部材２０１０は、電極としても機能させるようにしており、第１の導電部材と第２の導電部材とで一対の正負電極となる。最終的に個片化するまでは、図２Ｄ（ａ）に示すように、第１の導電部材２０１０は、隣接する第１の導電部材と繋がるように形成され、第２の導電部材２０２０も同様に隣接する第２の導電部材と繋がるように形成されている。
【００８１】
２．第２の工程
第２の工程では、図２Ｃ、図２Ｄ（ｂ）に示すように、基体２０６０を形成する際に、底面部を形成する際に、同時に突出部を形成している。尚、ここでは同時に形成しているが、先に基体の底面部２０６ａを形成し、続いて突出部２０６ｂを形成してもよく、或いは、先に突出部２０６ｂを形成した後に基体の底面部２０６ａを形成してもよい。両者は同一の遮光性樹脂を用いるのが好ましいが、目的や用途に応じて、異なる遮光性樹脂を用いても構わない。また、基体の底面部２０６ａは、第１の導電部材２０１や第２の導電部材２０２よりも高くなるように設けてもよく、図２Ｃに示すように、その一部が第１の導電部材と第２の導電部材の上に突出するように設けることもできる。このようにすることで、膜厚の薄い基体の底面部２０６ａが剥離しないようにすることができ、更には、第１の導電部材２０１や第２の導電部材２０２の剥離も抑制することができる。
【００８２】
突出部２０６ｂの形成方法は、基体の底面部２０６ａと同様に、金型を用いたトランスファモールド等によって形成することができる。このとき、金型として凹凸を有する上型を用いることで、図２Ｃに示すような突出部２０６ｂを形成することができる。
【００８３】
３．第３の工程
第３の工程では、図２Ｄ（ｃ）に示すように、基体２０６０の突出部に囲まれた領域の第１の導電部材２０１０上に発光素子２０３０を載置させる。導電性ワイヤ２０５０は、同じ突出部で囲まれた領域の第１及び第２の導電部材の上面に接続させる。
【００８４】
４．第４の工程
第４の工程では、基体２０６０の突出部に囲まれて形成される凹部Ｓ１に透光性樹脂からなる封止部材を充填することで、発光素子を封止部材で被覆する。ここでは、封止部材は、突出部２０６ｂと略同一高さになるように設けられているが、これに限らず、突出部よりも低く又は高くなるよう形成してもよい。また、このように上面が平坦な面としてもよく、或いは、中央が凹んだ、又は突出したような曲面状に形成してもよい。
【００８５】
５．第５の工程
第５の工程では、実施の形態１と同様にして、接着部材を設けた後に第１及び第２の導電部材を屈曲させて基体２０６の側面に貼り付ける。その後、個片化することで、図２Ａなどに示すような発光装置２００を得ることができる。
【００８６】
＜実施の形態３＞
実施の形態３にかかる光半導体装置（発光装置）は、光半導体装置は、光半導体素子（発光素子）と、発光素子と電気的に接続される第２の導電部材と、第２の導電部材から離間し、発光素子が載置される第１の導電部材と、発光素子を被覆するとともに第１の導電部材及び第２の導電部材と接する封止部材と、を有している。第１の導電部材及び第２の導電部材は、それぞれ下面が光半導体装置の外表面を形成しており、さらに、第１の導電部材と第２の導電部材の側面の一部も光半導体装置の外表面を形成している。第１の導電部材と第２の導電部材の間には、発光素子からの光を遮光可能な樹脂からなる基体を有している。そして、第１の導電部材及び／又は第２の導電部材は、それぞれ光半導体装置の下面に設けられる下面部と、その下面部から延在する側面部とを有しており、側面部の先端部は、封止部材側に突起部を有することを特徴とする。これにより、回路基板等に光半導体装置を実装する際に、半田フィレットが封止部材に達しないようにすることができ、また、フィルムに電極パターンを設けたフレキシブル基板よりも、直接的に光半導体素子からの熱を放出しやすい。
【００８７】
このような光半導体装置の製造方法は、実施の形態１における製造方法において、接着部材を用いない他は、同様に行うことができる。特に、保護膜（レジスト）よりも膜厚が厚くなるメッキを行うことで、突起部を形成することができる。第１及び第２の導電部材の下面部と側面部とは、金属のメッキのみからなるため、屈曲させた状態を保持し易いため、回路基板への実装性に優れるという効果がある。
【００８８】
＜実施の形態４＞
実施の形態４にかかる光半導体装置（発光装置）３００を、図３に示す。図３は、本発明に係る光半導体装置３００を示す断面図である。
【００８９】
実施の形態４では、光半導体装置３００は、発光素子３０３と、発光素子３０３と電気的に接続される第２の導電部材３０２と、第２の導電部材３０２から離間し、発光素子３０３が載置される第１の導電部材３０１と、発光素子３０３を被覆するとともに第１の導電部材３０１及び第２の導電部材３０２と接する封止部材３０４と、を有している。第１の導電部材３０１及び第２の導電部材３０２は、それぞれ下面が光半導体装置３００の外表面を形成しており、さらに、第１の導電部材３０１と第２の導電部材３０２の側面の一部も光半導体装置３００の外表面を形成している。そして、第１の導電部材３０１と第２の導電部材３０２の間に、発光素子３０３からの光を遮光可能な樹脂からなる基体３０６ａを有し、更に、その基体３０６は、発光素子３０３から離間する位置において、第１の導電部材３０１及び第２の導電部材３０２の上面よりも高い突出部３０６ｂを有している。これにより、光半導体装置３００に突出部３０６ｂによって凹部が形成され、光半導体装置３００の側面側に光が放出されるのを抑制し、上面方向に向けて光を放出することができる。そして、第１の導電部材３０１及び第２の導電部材３０２は、それぞれ下面部３０１ａ、３０２ａと、その下面部から延在し、基体の突出部の側面に配置される側面部３０１ｂ、３０２ｂとを有している。そして、側面部の先端部は、突出部側に突起部Ｘを有することを特徴としている。これにより、光を効率よく上方向に照射することができるとともに、回路基板等に光半導体装置を実装する際に、半田フィレットが封止部材に達しないようにすることができ、また、フィルムに電極パターンを設けたフレキシブル基板よりも、直接的に光半導体素子からの熱を放出しやすい。
【００９０】
このような光半導体装置の製造方法は、実施の形態２における製造方法において、接着部材を用いない他は、同様に行うことができる。特に、保護膜（レジスト）よりも膜厚が厚くなるメッキを行うことで、突起部を形成することができる。第１及び第２の導電部材の下面部と側面部とは、金属のメッキのみからなるため、屈曲させた状態を保持し易いため、回路基板への実装性に優れるという効果がある。
【産業上の利用可能性】
【００９１】
本発明に係る光半導体装置の製造方法は、小型で軽量であって、且つ、光取り出し効率の高い光半導体装置や、コントラストに優れた光半導体装置を容易に得ることができる。これらの光半導体装置は、各種表示装置、照明器具、ディスプレイ、液晶ディスプレイのバックライト光源、さらには、デジタルビデオカメラ、ファクシミリ、コピー機、スキャナ等における画像読取装置、プロジェクタ装置、などにも利用することができる。
【符号の説明】
【００９２】
１００、２００、３００・・・光半導体装置（発光装置）
１０１、２０１、３０１・・・第１の導電部材
１０１ａ、２０１ａ、３０１ａ・・・第１の導電部材の下面部
２０１ｂ、３０１ｂ・・・第１の導電部材の側面部
１０２、２０２、３０２・・・第２の導電部材
１０２ａ、２０２ａ、３０２ａ・・・第２の導電部材の下面部
１０２ｂ、２０２ｂ、３０２ｂ・・・第２の導電部材の側面部
１０３、２０３、３０３・・・光半導体素子（発光素子）
１０４、２０４、３０４・・・封止部材
１０５、２０５、３０５・・・導電ワイヤ
１０６、２０６、３０６・・・基体
２０６ａ、３０６ａ・・・基体の底面部
２０６ｂ、３０７ｂ・・・基体の突出部
１０７、２０７・・・接着部材
１０００、２０００・・・光半導体装置の集合体
１０１０、２０１０・・・第１の導電部材の集合体
１０２０、２０１０・・・第２の導電部材の集合体
１０３０、２０３０・・・光半導体素子（発光素子）
１０４０、２０４０・・・封止部材の集合体
１０５０、２０５０・・・導電性ワイヤ
１０６０、２０６０・・・基体の集合体
２０６０ａ・・・基体の底部
２０６０ｂ・・・基体の突出部
１０７０、２０７０・・・接着部材
１０８０・・・保護膜（レジスト）
１０９０・・・マスク
１１００・・・支持基板
１１１０・・・ノズル
Ｘ・・・突起部
Ｓ１・・・凹部
【図１Ａ】
2010232643.tif 000003
【図１Ｂ】
2010232643.tif 000004
【図１Ｃ】
2010232643.tif 000005
【図１Ｄ】
2010232643.tif 000006
【図２Ａ】
2010232643.tif 000007
【図２Ｂ】
2010232643.tif 000008
【図２Ｃ】
2010232643.tif 000009
【図２Ｄ】
2010232643.tif 000010
【図３】
2010232643.tif 000011